(57)【要約】【課題】斬新かつ意外性のある楽しさを併せ持ち、また郵送や配送にも便利であり、特に女の子に喜ばれる、薬玉的機能や飾り物機能を持ったカード類を提供する。【解決手段】偏平袋１０内に、折り重ねもしくは巻き込まれた垂幕１１を偏平袋１０の底１０ａから引き出し可能に収納してあり、垂幕１１の折り重ね部もしくは巻き込み部に巻テープ１２や紙吹雪１３等の舞散物１４を介在させてある。垂幕１１を引き出すと、垂幕１１が垂れ下がると共に舞散物１４が舞い散ったり、舞い落ちたりする。【選択図】　　　図３
2004009519.tif 000002
【特許請求の範囲】
【請求項１】
偏平袋内に、折り重ねもしくは巻き込まれた垂幕を前記偏平袋の底から引き出し可能に収納してあることを特徴とする、カード類。
【請求項２】
前記垂幕の折り重ね部もしくは巻き込み部に巻テープや紙吹雪等の舞散物を介在させてあることを特徴とする、請求項１に記載のカード類。
【請求項３】
前記偏平袋の底が開放状に形成されている、請求項１又は２に記載のカード類。
【請求項４】
前記垂幕に引紐部材を付けてある、請求項１，２，３のいずれかに記載のカード類。
【請求項５】
前記偏平袋の開放底から前記引紐部材を露出させてある、請求項３又は４に記載のカード類。
【発明の詳細な説明】
【０００１】
【発明の属する技術分野】
本発明は、グリーティングカードや飾物などに使用される薬玉的機能を有するカード類に関する。
【０００２】
【従来の技術】
クリスマスや誕生日などに祝いの言葉を記して贈るグリーティングカードは存在し、また開店祝の贈物などに用いる、玉が二つに割れて、中から五色の紙片などが散るようにした薬玉も存在する。
【０００３】
【発明が解決しようとする課題】
しかるに、グリーティングカードは祝いの言葉や絵などが記されているに過ぎず、単調で変化に乏しい。また薬玉は開店祝の贈物などに使われるが、嵩張るため郵送や配送に不利不便である。
【０００４】
本発明の目的は、上記のような実情に鑑みて斬新かつ意外性のある楽しさを併有し、また郵送や配送にも便利であり、特に女の子に喜ばれる、カード類を提供することにある。
【０００５】
【課題を解決するための手段】
本発明のカード類は、偏平袋内に、折り重ねもしくは巻き込まれた垂幕を前記偏平袋の底から引き出し可能に収納してあることに特徴を有するものである。そして、前記垂幕の折り重ね部もしくは巻き込み部に巻テープや紙吹雪等の舞散物を介在させてあることが好ましい。
【０００６】
上記構成のカード類によれば、偏平袋内に折り重ねもしくは巻き込まれている垂幕を偏平袋の底から引き出すと、垂幕を垂れ下げることができ、意外性があって興趣が増し、楽しむことができる。また、前記垂幕の折り重ね部もしくは巻き込み部に巻テープや紙吹雪等の舞散物を介在させてあると、巻テープや紙吹雪等の舞散物が舞い散ったり、舞い落ちたりし、意外性があって更に興趣が増し、楽しむことができる。その際、舞散物は垂幕の折り重ね部もしくは巻き込み部に介在させてあることにより、垂幕の垂れ下げと同時に舞散物を確実に舞い散らしたり、舞い落としたりすることができる。
【０００７】
偏平袋を使用し、この偏平袋に垂幕を折り重ね状もしくは巻き込み状に収納するとともに、巻テープや紙吹雪等の舞散物を垂幕の折り重ね部もしくは巻き込み部に介在させてあるので、全体が嵩張らず、薄型化できて郵送や配送に有利となる。
【０００８】
一つの好適な態様として、本発明によるカード類の偏平袋は底を開放状に形成することが、使用時に偏平袋の開放底から垂幕及び舞散物をスムーズに垂れ下げたり、舞い散らしたりすることができる点で好ましい。
また、前記垂幕に引紐部材を付けておくことが、垂幕を引き出し易くする点で好ましい。また、前記偏平袋の開放底から前記引紐部材を露出しておくことが垂幕の引き出し操作を容易にすることができる点で好ましい。
【０００９】
【発明の実施の形態】
本発明の好適な実施形態を図面に基づき説明する。図１は本発明の一実施例のカード類の外観斜視図、図２は図１におけるＡ−Ａ線断面図、図３は使用状態の斜視図である。
【００１０】
カード類は、図１および図２に示すように、紙、プラスチックシートなどで底開放状の偏平袋１０を形成し、この偏平袋１０内に紙、布、プラスチックフィルムなどで帯長状に形成した垂幕１１を折り重ねて収納し、垂幕１１の折り重ね部間には、１個もしくは２個以上のさまざまな色の巻テープ１２や、色取り取りの紙吹雪１３等の舞散物１４を介在させてある。
【００１１】
偏平袋１０はこれの正面にメッセージ等を書くことのできる余白１５を備え、この余白１５の上方は薬玉が割れた形状の図案１６を描いた飾り片１７で覆っている。偏平袋１０の上端部には柱や壁などに吊下げるための吊下げ用孔１８を設けている。
【００１２】
垂幕１１はジグザグ状に折り曲げられるように折目１９が長手方向に所定間隔おきに付けられており（図３参照）、これの上端部１１ａが偏平袋１０の内部に接着剤や接着テープ、ステープルなどで止め付けられ、下端側には鈴２１等を備えた引紐部材２０を付けている。引紐部材２０は垂幕１１を偏平袋１０内に折り畳んで収納する際に偏平袋１０の開放底１０ａから露出させておくことで垂幕１１の引き出し操作を容易にする。垂幕１１には「おめでとう」等の祝いの言葉や絵などを記すことができる。
【００１３】
図２に示すように、舞散物１４の一例である巻テープ１２はこれの巻終端１２ａが偏平袋１０の内部または垂幕１１の上端側に接着剤や接着テープ、ステープルなどで止め付けられたうえで、垂幕１１の折り重ね部間に紙吹雪１３と共に介在される。
【００１４】
上記構成のカード類は、使用に際し引紐部材２０を引くと、図３に示すように、垂幕１１が偏平袋１０の開放底１０ａから垂れ下がり、これと同時に巻テープ１２や紙吹雪１３等の舞散物１４が舞い散ったり、舞い落ちたりする。使用後は吊下げ用孔１８を利用して壁や柱等に掛けてそのまま飾りとして置くことができる。
また、偏平袋１０の底から垂幕１１を略下半分だけ引き出し、これに祝いの言葉などのメッセージを書いたうえで元通り偏平袋１０に折り重ね状態に収納して贈るといった使用法も可能である。
【００１５】
上記実施例では垂幕１１が折り重ねられるが、図４に示すように垂幕１１は渦巻き状に巻き込むようにすることもできる。この場合、巻終端１２ａが偏平袋１０の内部または垂幕１１の上端側に止め付けられた１個もしくは２個以上の巻テープ１２や紙吹雪１３等の舞散物１４は、巻き込む前の展開状態の垂幕１１の片面上に載せて垂幕１１と共に巻き込まれることにより巻き込み部に介入される。引紐部材２０は一端部が垂幕１０の巻始端部に止め付けられて巻き込まれ、鈴２１等を付けた引張り側の他端部２０ａが露出されている。
また、偏平袋１０は、図５に示すように、底開放状の封筒状に形成し、上端側に吊下げ用紐２２を付けるものであってもよい。
【００１６】
偏平袋１０の底１０ａは開放状に形成しておくことが使用時に垂幕１１及び舞散物１４をその開放底１０ａからスムーズに垂れ下げたり、舞い散らしたりすることができて有利であるが、必ずしもこれに限定されず、平常時は偏平袋１０の底は塞いでおいて使用時に開けることができるように開閉可能に塞ぐものであってもよい。
【００１７】
【発明の効果】
本発明のカード類によれば、垂幕を垂れ下げたり、巻テープや紙吹雪等の舞散物を垂幕を垂れ下げ時に舞い落としたり、舞い散ったりさせるという機能を発揮させることができ、しかも、薄型で嵩張らず、郵送や配送に便利であり、誕生日カードやクリスマスカードとして偏平袋や垂幕にメッセージを書いて贈れるという効果を奏する。
【図面の簡単な説明】
【図１】本発明の一実施例のカード類の外観斜視図である。
【図２】図１におけるＡ−Ａ線断面図である。
【図３】使用状態の斜視図である。
【図４】他の実施例のカード類の垂幕の斜視図である。
【図５】更に他の実施例のカード類の偏平袋の斜視図である。
【符号の説明】
１０　偏平袋
１１　垂幕
１２　巻テープ
１３　紙吹雪
１４　舞散物
２０　引紐部材
【図１】
2004009519.tif 000003
【図２】
2004009519.tif 000004
【図３】
2004009519.tif 000005
【図４】
2004009519.tif 000006
【図５】
2004009519.tif 000007